(57)【特許請求の範囲】
【請求項１】
本体ケース１の内部に配置した左右一対のテープリール３と、テープローディング用のポケット５の内奥壁５ａとで囲まれる三角形状のスペース内にリールロック機構が設けられており、
リールロック機構は、ケース内部に立設した部分円弧状のガイドボス８で上下スライド自在に案内支持した操作カム９と、ケース内部に立設したピン２２で揺動自在に支持されて、テープリール３の下側フランジの周縁に設けた係合歯２３と係脱する左右一対のロックレバー１１と、操作カム９、および両ロックレバー１１を所定状態に付勢するばね１０・１２とを含み、
操作カム９には、ロックレバー１１をばね１２の付勢力に抗してロック解除操作するカム片１５と、ガイドボス８に設けた一対の縦溝１３で上下スライドは自在に、しかし回動不能に接当支持される一対のスライド爪１６とが設けられており、
操作カム９の傾動を防ぐ規制翼片１７が、スライド爪１６の突端に連続して、ガイドボス８の外周面の前面側へ回り込む状態で設けてあるテープカートリッジのリールロック機構。
【請求項２】
スライド爪１６が操作カム９の周面下部に突設されており、スライド爪１６に連続して突設した規制翼片１７の上下寸法が、操作カム９の上下寸法の２分の１以上に設定してある請求項１記載のテープカートリッジのリールロック機構。
【請求項３】
ローディング用のポケット５の内奥壁５ａと対向する規制翼片１７の上部に、内奥壁５ａの上ケース１ａ側の接合面２７への引っ掛かりを避ける逃げ面２６が設けてある請求項１又は２記載のテープカートリッジのリールロック機構。
【発明の詳細な説明】
【０００１】
【発明の属する技術分野】
この発明は、主として放送業務分野において使用されるＶＴＲシステム用テープカートリッジに関し、そのリールロック機構を改良したものである。
【０００２】
【従来の技術】
この発明に係るリールロック機構の基本形態は、特開平４−３６２５８４号公報に公知であり、その要部構造を図６に示している。そこでは、左右一対のロックレバー３５と、ロックレバー３５をロック解除操作する操作カム３６と、これらの部材を付勢するばね３７・３８などでリールロック機構を構成している。ロックレバー３５は下ケースに立設したピン３９で揺動自在に支持され、ばね３７でロック状態に付勢してある。操作カム３６は、部分円弧状のガイドボス４０で上下動自在に案内支持されており、圧縮コイル形のばね３８で押し下げ付勢してある。操作カム３６をばね３８に抗してロック解除ピンで押し上げ操作すると、その周面に突設したカム片４１が、各ロックレバー３５に設けた受動リブ４２をばね３７の付勢力に抗してロック解除状態に切り換える。
【０００３】
上記の操作カム３６の周面二個所には、一対のスライド爪４３が突設してあり、これらスライド爪４３をガイドボス４０に設けた縦溝４４でスライド案内して、操作カム３６が上下スライド時に縦軸回りに回転するのを防いでいる。
【０００４】
その後、操作カム３６は改良が加えられて、図７に示すようにスライド爪４３の突端に規制片４５が付加されることになった。この規制片４５は、縦溝４４に臨むガイドボス４０の周面と係合して、ロック解除操作時に操作カム３６が左右に傾くのを防いでいる。
【０００５】
【発明が解決しようとする課題】
本発明者等は、上記の改良された操作カム３６に関して、繰り返し動作テストを行った。その結果、上方スライド時に操作カム３６が左右に傾くのはある程度抑止できるものの十分ではないこと、さらに操作カム３６がカム片４１の側を下にして、後傾姿勢で上方スライドしていることが判った。このような操作カム３６の姿勢の傾きは、操作カム３６とガイドボス４０との間に十分な隙間があることと、操作カム３６がロック解除ピンで突き上げられるとき、その後周面に突設したカム片４１にロックレバー３５の操作反力が集中して、操作カム３６を後傾させるようなモーメントが作用するからであると推測される。
【０００６】
この発明の目的は、ロック解除ピンで突き上げ操作されるときの、操作カムの前後あるいは左右方向への傾動を確実に防止し、以てリールロック機構の動作を安定化し、苛酷な使用条件下で使用されることが多い業務用テープカートリッジの信頼性をさらに向上することにある。
この発明の他の目的は、操作カムがロック解除ピンでガイドボスの上端寄りにまで突き上げ操作されるときに、その一部が上ケースの下ケースとの接合面に引っ掛かるのを防止して、操作カムの滑らかな上下スライドを保障することにある。
【０００７】
【課題を解決するための手段】
この発明のリールロック機構は、図４に示すように、本体ケース１の内部に配置した左右一対のテープリール３と、テープローディング用のポケット５の内奥壁５ａとで囲まれる三角形状のスペース内に設ける。リールロック機構は、図１に示すように、ケース内部に立設した部分円弧状のガイドボス８で上下スライド自在に案内支持した操作カム９と、ケース内部に立設したピン２２で揺動自在に支持されて、テープリール３の下側フランジの周縁に設けた係合歯２３と係脱する左右一対のロックレバー１１と、操作カム９、および両ロックレバー１１を所定状態に付勢するばね１０・１２とを含む。操作カム９には、ロックレバー１１をばね１２の付勢力に抗してロック解除操作するカム片１５と、ガイドボス８に設けた一対の縦溝１３で上下スライドは自在に、しかし回動不能に接当支持される一対のスライド爪１６とを設ける。そのうえで、操作カム９の傾動を防ぐ規制翼片１７を、スライド爪１６の突端に連続して、ガイドボス８の外周面の前面側へ回り込む状態で設ける。
【０００８】
具体的には、図２および図３に示すようにスライド爪１６を操作カム９の周面下部に突設し、スライド爪１６に連続して突設した規制翼片１７の上下寸法を、操作カム９の上下寸法の２分の１以上に設定する。
【０００９】
ローディング用のポケット５の内奥壁５ａと対向する規制翼片１７の上部に、内奥壁５ａの上ケース１ａ側の接合面２７への引っ掛かりを避ける逃げ面２６を設ける（図５参照）。
【００１０】
【作用】
スライド爪１６の突端に連続して、規制翼片１７をガイドボス８の外周面の前面側へ回り込むように設けるので、カム片１５に後傾モーメントが作用しても、規制翼片１７がガイドボス８の外周面に接当して、操作カム９が傾くのを確実に規制できる。同様の理由で、規制翼片１７は操作カム９の左右方向への傾動も同時に規制できる。
【００１１】
規制翼片１７の上下高さを操作カム９の高さの２分の１以上に設定すると、操作カム９とガイドボス８との遊動隙間を一定とするときに、規制翼片１７が正立している状態からガイドボス８に接当するまでの傾き量をより小さくできる。つまり、操作カム９の傾きをより効果的に規制できる。
【００１２】
上記のように、規制翼片１７の上下高さは大きい程効果的であるが、規制翼片１７がガイドボス８の上端寄りにまで上方スライドする場合に、その前面上縁がポケット５の内奥壁５ａを形成する上ケース１ａ側の接合面２７に引っ掛かることがある。こうした事態を避けるために、規制翼片１７の前面側上部に逃げ面２６を設けている。逃げ面２６は前下り状の傾斜面で形成してあるので、先記接合面２７が規制翼片１７の側へ張り出していても、支障なくそこを通過できる。
【００１３】
【実施例】
図１ないし図５は本発明に係るリールロック機構の実施例を示す。図４にテープカートリッジの概略図を例示しており、符号１はプラスチック製の上下ケース１ａ・１ｂを蓋合わせ状に結合してなる本体ケースである。この本体ケース１の内部左右にはテープ２が巻かれるテープリール３・３を有する。一方のテープリール３から引き出されたテープ２は、ケース前面の左右に設けたテープガイド４・４を介して他方のテープリール３に巻き取られる。本体ケース１の前面には、左右のテープガイド４・４間にテープローディング用のポケット５が凹み形成されている。不使用時にテープ２の前後面を覆うテープ保護用の前蓋６および裏蓋６ａを有し、この前蓋６は本体ケース１に対して開閉回動自在に枢支してあり、ばねで閉じ勝手に付勢してある。
【００１４】
本体ケース１内には、ポケット５の内奥壁５ａと左右のテープリール３・３とで囲まれた三角形状のスペースを有する。このスペース内に、不使用時に両テープリール３・３の回り止めを図るリールロック機構を備えている。図１においてリールロック機構は、下ケース１ｂから立設したガイドボス８と、このガイドボス８に上方から嵌め込まれる操作カム９およびこれ用の圧縮コイル形のばね１０と、ガイドボス８と各テープリール３・３との間に配置される左右一対のロックレバー１１・１１およびこれ用のばね１２とを主要構成部材とする。ガイドボス８で囲まれる下ケース１ｂの底壁には、ロック解除ピン２４用の開口７が通設してある（図３参照）。ガイドボス８は開口７を囲む状態で、基本的に断面円形の筒壁状に形成されており、該筒壁の左右二箇所が縦溝１３・１３で前後に分断され、更にその後方側も切除されて３個の部分筒壁に分かれている。後述するように、縦溝１３はテープエンド検知用の投光窓を兼ねる。
【００１５】
図２において、操作カム９は上向きに開口する円筒体を有し、その周面の後方中央の一個所に後ろ向きに延びるくさび状のカム片１５を突設し、周面の下端の左右両側にスライド爪１６・１６を張り出し、スライド爪１６・１６の突端に連続して規制翼片１７を一体に設けてなる。筒内底にはばね受けボス１８が突設されている。カム片１５の上面には、ロックレバー１１をロック解除するカム面が後ろ下り傾斜状に形成されている。操作カム９はガイドボス８内に上方から嵌め込み、その円筒部内と上ケース１ａとの間にばね１０を組む（図３参照）。
【００１６】
操作カム９をガイドボス８内に挿嵌した状態において、スライド爪１６は縦溝１３で上下スライドは自在に、しかし回動不能に接当支持される。また、規制翼片１７はガイドボス８の外周面の前面側へ回り込んで、ガイドボス８を抱持し、上方スライド時に操作カム９が後傾するのを阻止している。スライド爪１６の操作カム９の底面からの上下高さがごく僅かであるのに対し、規制翼片１７の上下高さは操作カム９の円筒部の高さの２分の１以上に設定する。この実施例では規制翼片１７の上下高さを円筒部高さに一致させて、より効果的に操作カム９の後傾を防止できるようにした。規制翼片１７の回り込み端の上部には、逃げ面２６を前下り傾斜状に形成する。
【００１７】
左右の各ロックレバー１１は、縦長筒状の基端ボス１９の周面から平面視でＬ字状のロック爪２０を突設し、基端ボス１９の平端な面壁に沿って短い受動リブ２１を縦方向に沿って突設してある。この受動リブ２１はロック爪２０とほぼ反対側のボス周面に位置する。基端ボス１９は下ケース１ｂから立設したピン２２に上方から嵌合して軸支する。これで各ロックレバー１１の全体はピン２２まわりに水平揺動でき、各テープリール３の下側フランジの周縁に設けた係合歯２３に対して各ロック爪２０の先端が係脱する（図１および図３参照）。これらのロックレバー１１・１１をそれぞれロック姿勢に揺動付勢するために、一対の捩りコイル形のロックばね１２を有する。このロックばね１２は、図１に示すように左右の各ピン２２・２２の上端にそれぞれ掛け止められる。
【００１８】
各ロックレバー１１・１１がロック姿勢にある不使用時には、操作カム９は開口７を塞ぐ状態で下ケース１ｂの底壁に受け止められており、図３に示すように受動リブ２１・２１の下端はそれぞれカム片１５のカム面の上端寄りに近接対向している。テープカートリッジをデッキに装填すると、図５に示すようにデッキ側のロック解除ピン２４が開口７からケース内へ進入して、操作カム９をばね１０に抗して突き上げる。操作カム９が上方スライドする間に、カム面は受動リブ２１をピン２２の回りに揺動させるので、各ロックレバー１１はロックばね１２に抗して互いに逆向きにロック解除方向へ揺動する。この揺動は操作カム９がカム面の垂直長さ分だけ上昇した時点で完了し、以後はその状態を維持する。そのため各受動リブ２１は基端ボス１９の上端にまで延びており、操作カム９が最上端位置にあるときでも、受動リブ２１はカム片１５で受け止められて、ロック解除姿勢を維持している。
【００１９】
上記のように、カム片１５のカム面が受動リブ２１をピン２２の回りに揺動操作し終わるまでの間、カム片１５には下向きの操作反力が作用する。そのため操作カム９はカム片１５側を下端にして後傾しようとする。しかし、操作カム９が僅かでも傾くと、規制翼片１７がガイドボス８の外周面で受け止められるので、操作カム９はほぼ水平の姿勢を維持できる。従って、ロックレバー１１・１１を遅滞なくロック解除操作でき、リールロック機構の信頼性を向上できる。
【００２０】
ロック解除ピン２４はテープエンドセンサーピン兼ねていて、図３に示すごとくピンの上端寄りに、テープエンドを光学的に検知するための光源２５が組み込んである。光源２５はガイドボス８の縦溝１３を介して本体ケース１の両側方へ検知光を照射する。テープカートリッジをデッキに装填したとき、光源２５を本体ケース１内の上下中央高さ位置に設定するために、操作カム９は上ケース１ａの近くにまで押し上げられる。このとき、規制翼片１７の回り込み端は、ローディング用のポケット５の内奥壁５ａの内面に沿って上方スライドする。そのため図５に示すように、内奥壁５ａを構成する上ケース１ａ側の壁面がケース内方へずれ変形していると、規制翼片１７が上ケース１ａ側の接合面２７に引っ掛かるおそれがある。こうした事態を避けるために、規制翼片１７の回り込み端の上部に、引っ掛かり防止のための逃げ面２６を設けている。
【００２１】
上記以外に操作カム９は、左右一対のスライド爪１６・１６の突端間を、部分円弧状の一個の規制翼片１７で接続して、上記の実施例における一対の規制翼片１７をひと続きの壁面として形成することができる。この場合は、規制翼片１７の上縁の前半縁に逃げ面２６を形成する。
【００２２】
【発明の効果】
この発明では、ガイドボス８の外面に臨む操作カム９のスライド爪１６に規制翼片１７を設けて、上方スライド時の操作カム９が左右方向へ傾動し、あるいは後傾しようとするのを、ガイドボス８とこれに接当する規制翼片１７との協同作用によって防止できるようにした。従って、この発明のリールロック機構によれば、操作カム９を常に適正な姿勢でロック解除操作して、ロックレバー１１を遅滞なくロック解除状態に切り換えることができるうえ、上方スライド時に操作カム９が傾斜姿勢のままでガイドボス８に引っ掛かって、ＶＴＲが動作不良に陥るのを防止し、全体としてテープカートリッジの信頼性を向上できる。規制翼片１７に逃げ面２６を設けて、上方へスライドする規制翼片１７の本体ケース１の接合面２７との引っ掛かりを防止するので、操作カム９のスムースな上下スライドを保障し、この種のリールロック機構のロック解除動作を確実で安定なものとすることができる。
【図面の簡単な説明】
【図１】リールロック機構の平面図である。
【図２】リールロック機構の分解斜視図である。
【図３】図１におけるＡ−Ａ線断面図である。
【図４】テープカートリッジの概略平面図である。
【図５】逃げ面の作用説明図である。
【図６】従来のリールロック機構の平面図である。
【図７】操作カムの比較例を示す斜視図である。
【符号の説明】
１  本体ケース
３  テープリール
５  ポケット
５ａ内奥壁
８  ガイドボス
９  操作カム
１０  ばね
１１  ロックレバー
１２  ばね
１３  縦溝
１５  カム片
１６  スライド爪
１７  規制翼片
【図１】
0003621248.tif 000002
【図２】
0003621248.tif 000003
【図３】
0003621248.tif 000004
【図４】
0003621248.tif 000005
【図５】
0003621248.tif 000006
【図６】
0003621248.tif 000007
【図７】
0003621248.tif 000008